(57)【要約】【課題】本発明は、アクティビティベースの広告の提示を可能にするシステムを提供する。【解決手段】動作中、システムは、顧客の一組のコンテクストデータを受け取り、顧客の将来のアクティビティの予測をする。システムは、次いで、幾つかの広告を広告主から受け取る。予測に基づいて、システムは、顧客に提示するべき受け取った広告を選択する。システムは、さらに、顧客の後のアクティビティを判断し、顧客のアクティビティの予測を確認する。システムは、次いで、予測が確認されたかどうかに基づいて提示される広告の広告主から支払いを受け取る。【選択図】図１
2009205684.tif 000002
【特許請求の範囲】
【請求項１】
アクティビティベースの広告の提示を可能にするためのコンピュータ実施方法であって、
顧客の一組のコンテクストデータを受け取り、
前記顧客の将来のアクティビティの予測をし、
幾つかの広告を広告主から受け取り、
前記予測に基づいて、前記顧客に提示するべき受け取った広告を選択し、
前記顧客の後のアクティビティを判断し、
前記顧客のアクティビティの前記予測を確認し、
前記予測が確認されたかどうかに基づいて提示される広告の広告主から支払いを受け取る、
というステップを含むことを特徴とする方法。
【請求項２】
前記予測に基づいて、前記広告主に対する広告機会をオークションにかけ、
１つ又はそれ以上の入札を前記広告主から受け取る、
というステップをさらに含むことを特徴とする請求項１に記載の方法。
【請求項３】
支払いは、前記予測が確認されたときにだけ受け取られることを特徴とする請求項１に記載の方法。
【請求項４】
広告主が、前記予測が確認されたかどうかに左右される前記支払いの一部を設定することを可能にするステップをさらに含むことを特徴とする請求項１に記載の方法。
【発明の詳細な説明】
【技術分野】
【０００１】
本開示は、一般に、広告システムに関する。具体的には、本開示は、受容的機会及び顧客のアクティビティに基づいて広告を提示することに関する。
【背景技術】
【０００２】
無線装置の広範な配置と結合した広く普及しているインターネットの接続性は、広告産業を劇的に変化させている。２００５年に、世界的に広告に費やされた３８５０億ドルのうち、オンライン及び無線費は１９０億ドルを占めた。インターネット広告は、累積年間成長率が１８．１である、最も成長が速い広告形態である。しかしながら、インターネット広告には限度があり、新規メディアの広告における劇的な成長率を維持するための新規な機会はまだ発見されていない。
【０００３】
既存のインターネット広告は、ユーザがオンラインであり、コンピュータ画面を見ているときにだけ作用する。対照的に、従来の広告は多数の形態で入ってくる。例えば、符号は、小売店内で製品を広告することができる。ラジオプログラムは、リスナーが幅広い種類のアクティビティに従事するときに、製品を広告することができる。印刷広告は、新聞から、ちらし、レシート、及びチケットの半券まで、紙が用いられるところであればどこでも現れることができる。インターネット広告は、消費者の関心をより良好にターゲットする能力において、従来の広告を越えるが、依然として、人間のアクティビティに密接に適応させることができていない。
【発明の概要】
【発明が解決しようとする課題】
【０００４】
アクティビティベースの広告を顧客の携帯装置に送給することは、通常の広告方法を補完する新規な技術である。アクティビティベースの広告は、顧客の要求をより良好にターゲットして、動的に顧客のアクティビティに調整することができる。しかしながら、携帯型のアクティビティベースの広告システムにおいては、顧客の将来のアクティビティを正確に予測することは困難であるが、正確に予測された将来のアクティビティに基づいて広告を提示することは価値がある。したがって、アクティビティベースの広告の動的性質に調整され、広告主がこうしたアクティビティベースの広告に支払いを行うように十分に奨励することができる実行可能な支払い機構を有することが重要である。
【課題を解決するための手段】
【０００５】
本発明の１つの実施形態は、アクティビティベースの広告の提示を可能にするシステムを提供する。動作中、システムは、顧客の一組のコンテクストデータを受け取り、顧客の将来のアクティビティの予測をする。システムは、次いで、幾つかの広告を広告主から受け取る。予測に基づいて、システムは、顧客に提示するべき受け取った広告を選択する。システムは、さらに、顧客の後のアクティビティを判断し、顧客のアクティビティの予測を確認する。システムは、次いで、予測が確認されたかどうかに基づいて提示される広告の広告主から支払いを受け取る。
【０００６】
本実施形態の変形態様においては、システムは、予測に基づいて、広告主に対する広告機会をオークションにかけ、１つ又はそれ以上の入札を広告主から受け取る。
さらに別の変形態様においては、システムは、予測の見積もられた精度を算出する。
さらに別の変形態様においては、システムは、見積もられた精度に基づいて、落札者を判断する。
【０００７】
さらに別の変形態様においては、システムは、予測の見積もられた精度を広告主に追伸して、これにしたがって、広告主が彼らの入札を設定できるようにする。
本実施形態の変形態様においては、支払いは、予測が確認されたときにだけ受け取られる。
本実施形態の変形態様においては、システムは、広告主が、予測が確認されたかどうかに左右される支払いの一部を設定できるようにする。
【０００８】
本実施形態の変形態様においては、システムは、広告主が保険を購入することを可能にし、この下では、広告主は、顧客の後の行動により、予測が確認されなかったときに返金を受け取ることができる。
本実施形態の変形態様においては、システムは、広告の結果として、顧客の後の購入行動に基づいて提示される広告の広告主から支払いを受け取る。
【図面の簡単な説明】
【０００９】
【図１】本発明の実施形態による確認されたアクティビティ予測に基づいて、広告主の支払いを可能にする受容的機会ベースの広告システムの例示的な構成を示す。
【図２】本発明の実施形態による受容的機会ベース広告システムの例示的な動作モードを示すブロック図を提示する。
【図３】本発明の実施形態による、アクティビティベースの広告機会をオークションにかけ、確認された予測に基づいて、広告主の支払いを収集する例示的なプロセスを示すフローチャートを提示する。
【図４】本発明の実施形態による、確認予測ベースの支払いを可能にする広告システムを可能にする例示的なコンピュータシステムを示す。
【発明を実施するための形態】
【００１０】
図面において、同じ参照番号は、同一の又は実質的に同様な要素又は動作を識別する。参照番号における最上位数は、その要素が最初に導入された図の番号を指す。例えば、要素１０２は、図１に関連して最初に導入され、論じられる。
アクティビティベースの広告においては、顧客の将来のアクティビティを予測することが有益である。こうした予測が正確なものである場合には、広告主にとって価値あるものとなる。例えば、顧客が行楽地に向かって運転しているという知識は、システムが、行楽地域において広告サービスの機会を識別するのを助けることができる。残念ながら、将来を予測するのは必ずしも容易なことではなく、予測は必ずしも正確ではない。したがって、広告主は、必ずしも、こうした予測に依存することを望むわけではない。本開示は、確認された予測に基づいて広告主が請求される方法を説明する。その結果、広告主は、予測が不正確であるときに財政的リスクを少なくすることができる。
本発明の実施形態は、広告ベースの顧客のアクティビティの予測を提示し、広告主が、確認された予測に基づいて、これらの広告に支払いを行うことを可能にする広告システムを提供する。このシステムは、顧客のアクティビティの予測の精度に基づいて、広告に対する支払いを動的に調整することができる。
【００１１】
幾つかの実施形態においては、システムは、モバイル顧客に対する広告をターゲットし（例えば、携帯電話、携帯型情報端末（ＰＤＡ）、及び幾つかの場合には、近くの電子掲示板により）、顧客の将来の購入行動に影響を与えることができるアクティビティターゲット広告を送給する。システムは、顧客の位置、現在時刻、天気等といった顧客の情報を受け取り、顧客が次にどのアクティビティを実行しそうであるかを予測することができる。この予測に基づいて、システムは、広告を提示するための良好な機会を識別することができる。
【００１２】
本発明の新規な広告システムは、正しい予測に基づいて、広告主に課金する課金機構を含む。１つの実施形態においては、広告主は、顧客の、次のアクティビティが予測を確認したときにのみ支払いを行う。例えば、顧客がショッピングセンターを訪れると予測された場合には広告が提示され、顧客が実際にショッピングセンターを訪れると、広告主は、確認された予測に応じて、対応する料金を支払う。
【００１３】
本開示は、以下の用語を用いる。
広告主。この用語は、典型的には、サービス又は製品を広告することを望む会社を指す。本開示は、「広告主」及び「広告」という用語を、コンテンツプロバイダ及びコンテンツを広く指すように用い、ここでは、例えば、コンテンツプロバイダは、ターゲットコンテンツが特定のサービス又は製品を広告していなくても、そのコンテンツが顧客に送給されるように、支払う用意がある。典型的な広告主は、広告が費用の１つである場合、利益を最大にすることを望む。この理由のために、良好にターゲットされた広告は、広告主にとってより効果的なものになる。
【００１４】
顧客。この用語は、広告の受け手、すなわち、広告の潜在的な顧客を指す。顧客は、典型的には、幾つかの広告を歓迎するが、他の種類の広告を受け取ることは好まない。この理由のために、良好にターゲットされた広告は、顧客にとってより許容可能なものになる。本開示は、そのコンテンツが、広告主の顧客としてその人を含むことを意図しなかったとしても、コンテンツを受け取る人を広く含むように「顧客」という用語を用いる。
【００１５】
プロバイダ。この用語は、広告を顧客に送給するサービスの提供者を指す。プロバイダは、良好にターゲットされた広告を送給する責任がある。本発明の実施形態は、プロバイダが、顧客のアクティビティ及びコンテクストに基づいて広告を送給するのに用いることができる技術を提供する。幾つかの実施形態においては、顧客に提示するためのチャネルを提供する別個の発行元があるとすることができる。プロバイダは、広告及び発行元のチャネルを選択し、支払い機構に応じて、広告主に支払いを請求し、発行元に報酬を与えることができる。
【００１６】
提示。この用語は、顧客に広告を示すことを指す。本発明の実施形態は、提示形態とは独立したものである。提示は、バナー又はポップアップをＰＤＡ又は携帯電話に加えること、電話、音楽プレーヤー、又はカーステレオで音声メッセージを再生すること、ＧＰＳナビゲーション装置上の地図を修正すること、又は、顧客の近くの掲示板を変更することを含むことができる。
支払い。この用語は、「成功した」提示の後で、広告主がプロバイダに支払う額を指す。成功した提示は、多数の異なる方法で定義することができる。これに対応して、支払いもまた、異なる構造にすることができる。これは、提示都度の支払い、クリック都度の支払い、又はアクション都度の支払い（広告主により定義されたコミッション形態）とすることができる。１つの実施形態においては、新規な予測確認都度の支払い構造が、アクティビティベースの広告に用いられる。
【００１７】
アクティビティ。この用語は、顧客のアクティビティを指す。例えば、顧客のアクティビティは、「列車の駅に向かって歩く」であるとすることができる。アクティビティは、異なる意味レベルで説明することができる。例えば、「列車の駅に向かって歩く」は、さらに、「仕事の後で家に帰る」として説明することができる。幾つかの実施形態による広告システムにおいては、アクティビティは、「エクササイズを取得するため」といった目的、「自転車で」といったツール、「達人」といった技能レベル、及びアクティビティの他の修飾句／修飾語により部分的に説明することができる。アクティビティをターゲットした又はアクティビティベースの広告は、多数の関連するアクティビティに到達することを可能にするために、異なる意味レベルの完全な又は部分的な記述に依存することがある。
【００１８】
コンテクスト。この用語は、顧客のアクティビティを取り囲む付加的な情報を指す。例えば、アクティビティは、雨の日に生じることがある。幾つかの実施形態においては、アクティビティの記述及びコンテクストの記述は、広告のアクティビティベースの提示に用いられる。多くの場合、「コンテクスト」という用語はアクティビティに関する用語と関連して用いられる。「アクティビティ」、「アクティビティターゲット」及び「アクティビティベースの広告」は、典型的には、アクティビティの特徴並びに広告をターゲットするための可能性のある付加的なコンテクストを含むように用いられる。
機会。「広告機会」、「提示機会」又は「受容的機会」とも呼ばれ、この用語は、選択された広告を顧客に提示することができる広告システムにより識別される時間ウィンドウを指す。
【００１９】
本発明の幾つかの実施形態においては、プロバイダは予測をし、広告主は予測を含む機会に入札する。例えば、顧客の位置の跡（顧客のＧＰＳ装備携帯装置により与えられる）に基づいて、プロバイダは、顧客がショッピングセンターに訪れると予測する。次いで、プロバイダは、顧客がバス亭で待つのに費やす時間に対応する良好な広告機会を識別する。広告主は、予測に基づく機会に入札することができる。入札額は、予測が確認されたときにだけ支払われるコンポーネントを含むことができる。この例においては、広告主は、顧客が実際にショッピングセンターを訪れたときにだけ支払う。顧客がショッピングセンターに行かなかった場合には、確認された予測に左右される入札額におけるコンポーネントは放棄される。
１つの実施形態においては、プロバイダは、履歴データ及び現行のコンテクストに基づいて、その予測の精度を見積もることができる。それぞれの入札は予測が確認されたときにだけ支払われる部分を含むことができるため、この見積もりにより、プロバイダは、各々の広告主の入札から予測される財政的な収入を算出することができる。プロバイダは、次いで、各々の入札の予測される収入に基づいて入札をランク付けして、最高の予測される収入を生成する入札を選択する。
【００２０】
図１は、本発明の実施形態による、確認されたアクティビティ予測に基づいて、広告主の支払いを可能にする受容的機会ベースの広告システムの例示的な構成を示す。１つの実施形態においては、広告システム１００は、２つのモジュール、広告機会識別モジュール１０２と、オークション及び配置モジュール１１０とを含む。広告機会識別モジュール１０２は、使用可能な提示機構１０４と通信し、現在の顧客のコンテクストを示すコンテクストデータ１０６を受信する。さらに、広告機会識別モジュール１０２はまた、顧客のアクティビティを予測又は抽出するアクティビティモデル化／予測モジュール１０８と通信する。
アクティビティモデル化予測モジュール１０８は、顧客の携帯装置上又は広告システム１００内にあるとすることができる。動作中、アクティビティモデル化予測モジュール１０８は、顧客の将来のアクティビティの予測をする。１つの実施形態においては、アクティビティモデル化予測モジュール１０８は、コンテクストデータ１０６を用いて過去及び現在のアクティビティを抽出し、顧客に関連する将来のアクティビティを予測する。例えば、顧客の携帯電話には、ＧＰＳを備えることができる。予め格納された場所情報及び異なるときの顧客の位置の跡に基づいて、アクティビティモデル化／予測モジュール１０８は、顧客が特定の日に、特定のアクティビティに典型的に従事することを判断することができる。
【００２１】
コンテクストデータ１０６は、顧客の過去、現在、又は将来のアクティビティを判断するのに用いることができる。こうした情報は、日にち、曜日、天気、顧客の位置、運動速度等の物理的な情報を含むことができる。コンテクストデータ１０６は、さらに、顧客のカレンダー、インスタントメッセージ及び電子メールの内容、顧客の過去のアクティビティの履歴、及び顧客の広告に対する以前の反応といった顧客に関する論理コンテンツを含むことができる。１つの実施形態においては、コンテクストデータ１０６は、顧客がもつ携帯電話といった携帯装置により収集することができる。
１つの実施形態においては、提示機構１０４は、広告を提示することができる種々の装置を含むことができる。こうした装置は、携帯電話、ＰＤＡ、コンピュータ、公共のディスプレイ、ラジオ、ＴＶ、車内ナビゲーションシステム等を含むことができる。
【００２２】
アクティビティ予測、コンテクストデータ１０６及び顧客の付近にある使用可能な提示機構１０４（例えば、顧客の携帯電話又は顧客の近くにある動的掲示板）に基づいて、広告機会識別モジュール１０２は、広告のための好適な受容的機会を識別する。例えば、システムは、顧客が通勤列車のプラットフォームで待っており、まだ夕食をとっていないときに、「食べる」というアクティビティを識別することができる。これに対応して、広告機会識別モジュール１０２は、広告のための、時間、提示機構、及びトピック（識別されたアクティビティに対応する）を含むことができる機会の記述を生成する。
広告機会識別モジュール１０２は、顧客の携帯装置上又はプロバイダの敷地におけるサーバ上にあるとすることができる。
【００２３】
良好な広告機会が識別されると、システムは、次いで、広告主に対して、予測ベースの機会をオークションにかける。１つの実施形態においては、オークション及び配置モジュール１１０は、任意的には、予測及び広告機会を、このオークションにおいては入札者である広告主１２０に通信することができる。幾つかの実施形態においては、広告主は、既にどの予測されたアクティビティが価値あるターゲットであるかを知っており、前もって、入札１１４、対応する広告１１２、及び、予測されたアクティビティを広告のためのターゲットとして含む一組の配置仕様１１６をサブミットするため、この通信は任意的なものである。上述のように、入札１１４は、アクティビティ予測の成功次第である部分を含むことができる。
図１は、１つの入札広告主だけを示すが、広告システム１００は、複数の入札者に対応することができる。入札が受け取られた後で、オークション及び配置モジュール１１０は、次いで、最高位の予測収入をもつ入札を選択する。これらの落札入札と併せてサブミットされた広告は、次いで、待ち状態の提示１１８として識別され、これは、受容的機会において提示される。
【００２４】
幾つかの実施形態は、広告システム１００は、入札者に課金するために、確認された予測都度の支払い方法を用いることができる。すなわち、落札者は、アクティビティの予測が顧客の後の続く行動により確認されない限り、広告に対して支払う必要はない。
支払いは、排他的に、確認された予測都度の支払い方法に基づく必要はない。予測都度の支払いコンポーネントは、他の課金方法及び広告主も含む、より大きい原則の一部とすることができる。
【００２５】
上述の方策に対して他の変形態様があるとすることができる。１つの実施形態においては、広告主は、課金における確認された予測都度の支払いコンポーネントの大きさを選択することができ、プロバイダは、上述のように入札を評価することができる。別の実施形態においては、広告主は、確認された予測に基づくコンポーネント、提示に依存するコンポーネント、及び顧客により取られる後の行動に依存するコンポーネントを含む支払い原則を開発することができる。入札者は、これらの原則を用いて、彼らの入札を判断することができる。
プロバイダが、その予測の精度の見積もりを公開するのは任意的なものとすることができる。見積もりが公開された場合には、広告主は、彼らの入札の戦略をより良好に練ることができる。しかしながら、見積もりを公開しないことは、システムを単純化する。確認された予測都度の支払いの利点の１つは、予測に関連するリスクをプロバイダに割り当てることができる点である。
【００２６】
広告主が予測に入札し、広告を提示し、次いで顧客が広告に反応し、予測を無効にしたときには、興味深いシナリオが生じる。例えば、ショッピングセンターの外にある店の広告主が、顧客がショッピングセンターを訪れるところであるという予測に基づいて、オークションに入札する。（実際、これは、不良な場所にある会社が、顧客の流れを組み入れるために、近くの人気のある場所に入札するような、アクティビティベースの広告において価値にあるパターンになりそうである）。１つの実施形態においては、広告は成功したが、予測を無効にしたときには（例えば、顧客が実際にはショッピングセンターには訪れないことにし、その代わりに、外のある店に訪れたとき）、プロバイダは、顧客の後の行動が、広告によってプラスに影響を与えられたときに広告主に課金する支払い原則を用いることができる。
【００２７】
さらに別の実施形態においては、プロバイダは、望ましくない予測結果に対して、広告主に保険を与えることができる。この場合、広告主は、広告の配置に入札し、広告の配置に支払いをする。広告主は、さらに、ユーザの将来の行動がプロバイダの予測と適合しない場合に、彼らの支払いの一部が返金されるように、保険に追加料金を支払うことができる。幾つかの実施形態においては、広告主は、さらに、この保険に入札することができる。広告主がユーザの行動の正確な予測変数を有する場合には、プロバイダは、可能性、及び保険のためにどれだけ課金するかを見積もるのに良好な位置にあることになる。
【００２８】
図２は、本発明の実施形態による受容的な機会ベースの広告システムの例示的な動作モードを示すブロック図を提示する。この例においては、顧客２００は、スマートフォンとすることができる携帯装置２０６を用いる。携帯装置２０６は、無線タワー２０８、無線サービスプロバイダのネットワーク２０４、及びインターネット２０２により、サーバ２１２と通信する。動作中、携帯装置２０６は、顧客２００のカレンダーのコンテンツ、顧客が行った場所のＧＰＳ追跡、現在の時間等といった一組のコンテクストデータを収集し、こうした情報をサーバ２１２に通信する。例えば、コンテクストデータに基づいて、サーバ２１２は、今午後６時で、顧客２００が丁度退社し、現在列車の駅にいることを検出することができる。以前に収集されたデータから、サーバ２１２は、さらに、顧客２００が、典型的には、列車に乗った後で、レストランを訪問することを学ぶ。この情報に基づいて、顧客２００は、列車に乗った後でレストランに行く可能性があることを予測し、次の１５分間は、レストラン及びバーの広告を提示するのに良好な受容的機会になると判断する。任意的には、サーバ２１２は、１つの実施形態においては、少なくとも１つのトピック及び時間ウィンドウを含むこの機会の記述を広告主２１４に通信することができる。機会の記述に応答して、又は、この通信に先立って、広告主２１４は、機会において提示される広告をもつ１つ又はそれ以上の入札をサブミットする。落札者は、次いで、待ち状態の提示としてデータベース２１０内に格納される。
【００２９】
次いで、サーバ２１２は、データベース２１０内に格納された広告を取り出し、機会の記述に適合する待ち状態の提示を選択する。サーバ２１２は、次いで、広告及びこれらの広告をどのように提示するかについての命令を、携帯装置２０６に通信する。１つの実施形態においては、広告は、ストリームビデオ、オーディオ、グラフィック、テキスト、又は上述のものの組み合わせとすることができる。広告を受け取った後で、携帯装置２０６は、これらの広告を命令に基づいて提示する。携帯装置２０６は、次いで、顧客２００の位置を監視し続け、このデータをサーバ２１２に送る。サーバ２１２は、次いで、顧客２００が列車から降りた後で、実際にレストランを訪れるかどうか確認することができる。そうである場合には、予測は確認され、広告主２１４は、所定の額を請求される。
【００３０】
他の提示機構もまた用いることができる。例えば、提示機構は、列車に取りつけられた、近くのＬＣＤディスプレイとすることができる。ＬＣＤディスプレイには、携帯装置２０６と通信するために、ブルートゥースといった何らかの通信機構を備えることができる。提示中、携帯装置２０６は、広告をＬＣＤディスプレイにストリームして、顧客２００がより大きいスクリーン上で、広告をより容易に見られるようにすることができる。
【００３１】
図３は、本発明の実施形態による、アクティビティベースの広告機会をオークションにかけ、確認された予測に基づいて広告主の支払いを収集する例示的なプロセスを示すフローチャートを提示する。動作中、システムは、顧客のコンテクストデータを受け取る（動作３０２）。システムは、次いで、顧客の次のアクティビティを予測し、対応する広告機会を識別する（動作３０４）。任意的には、システムは、見積もられた予測精度を算出することができる（動作３０６）。さらに、システムは、任意的に、予測及び見積もられた精度を広告主に発行することができる（動作３０８）。
前のいずれかの動作の前に、又は任意的には動作３０８に続いて、システムは、幾つかの入札を広告主から受け取る（動作３１０）。システムは、次いで、落札者を選択する（動作３１２）。次いで、システムは、機会において、広告を顧客に提示する（動作３１４）。システムは、さらに、顧客の次のアクティビティを観察し（動作３１６）、前の予測が確認されたかどうか判断する（動作３１８）。予測が確認された場合には、システムは、確認された予測に基づいて、広告主に課金する（動作３２０）。そうでない場合には、広告主は課金されない。
【００３２】
図４は、本発明の実施形態による、確認された予測ベースの支払いを可能にする広告システムを可能にする例示的なコンピュータシステムを示す。この例においては、コンピュータシステム４０２は、プロバイダに対する機能を実行する。インターネット４０３により、コンピュータシステム４０２は、１つの実施形態においてはＰＤＡ又は携帯電話とすることができるクライアント４２６と通信する。
コンピュータシステム４０２は、プロセッサ４０４と、メモリ４０６と、格納装置４０８とを含むことができる。１つの実施形態においては、コンピュータシステム４０２は、ディスプレイ４１３に結合される。格納装置４０８は、広告主入札アプリケーション４１６と、アクティビティ分析アプリケーション４２０と、予測及び確認アプリケーション４２２とを格納する。動作中、広告主入札アプリケーション４１６と、アクティビティ分析アプリケーション４２０と、予測及び確認アプリケーション４２２とは、格納装置４０８からメモリ４０６にロードされて、プロセッサ４０４により実行される。したがって、プロセッサ４０４は、前述の機能を実行して、受容的機会ベースの広告システムを可能にする。
【符号の説明】
【００３３】
１００：広告システム
１０２：広告機会識別モジュール
１０４：使用可能な提示機構
１０６：コンテクストデータ
１０８：アクティビティモデル化／予測モジュール
１１０：オークション及び配置モジュール
１１２：広告
１１４：入札
１１６：配置仕様
１１８：待ち状態の提示
１２０：広告主
【図１】
2009205684.tif 000003
【図２】
2009205684.tif 000004
【図３】
2009205684.tif 000005
【図４】
2009205684.tif 000006